(57)【要約】【課題】収容部に収容された薬剤シートが湾曲している場合でも、当該薬剤シートを適切に突き押して払い出すことができる薬剤収容カセットを提供する。【解決手段】薬剤収容カセット１は、ＰＴＰシート１００が収容される収容部１１と、上記収容部１１の前側に設けられた払出スリッ１３トと、先頭のＰＴＰシート１００の上縁に接触するように設けられ、上記先頭のＰＴＰシート１００の上縁を一定範囲内に位置させる受け部３と、上記収容部１１内のＰＴＰシート１００を上記収容部１１の前側に向けて移動させる移動動作部２と、を備えている。上記収容部１１内には、ＰＴＰシート１００をそのポケット形成面側が上記薬剤収容カセット１の前側（ＰＴＰシート１００の移動方向）を向くように収容する。【選択図】図３
2014151028.tif 000002
【特許請求の範囲】
【請求項１】
薬剤収容カセットの収容部に形成された払出開口から薬剤シートを払い出す薬剤払出方法において、上記収容部内に上記薬剤シートをそのポケット形成面側が上記収容部の前側を向くように収容し、先頭の薬剤シートの一部を上記収容部の前側に設けられている受け部に押し当てることで上記先頭の薬剤シートの上記払出開口と反対の側に位置する反対側部分を一定範囲内に位置させ、上記先頭の薬剤シートの上記反対側部分を突き押し部材によって突き押して、上記収容部に形成された払出開口から上記薬剤シートを押し出すことを特徴とする薬剤払出方法。
【請求項２】
薬剤シートが収容される収容部と、上記収容部の前側に設けられた払出開口と、を備え、上記払出開口から上記薬剤シートを払い出す薬剤収容カセットにおいて、上記収容部内の薬剤シートを上記収容部の前側に向けて移動させる移動動作部と、上記収容部内の先頭の薬剤シートの一部に接触するように設けられ、上記先頭の薬剤シートの上記払出開口と反対の側に位置する反対側部分を一定範囲内に位置させる受け部と、を備えたことを特徴とする薬剤収容カセット。
【請求項３】
請求項２に記載の薬剤収容カセットにおいて、上記受け部は上記薬剤シートの一部として上記薬剤シートの上記反対側部分に接触し、上記薬剤シートは上記反対側部分が突き押されて上記払出開口から払い出されることを特徴とする薬剤収容カセット。
【請求項４】
請求項３に記載の薬剤収容カセットにおいて、上記受け部は上記薬剤シートの一部として上記薬剤シートの上記払出開口の側に位置する払出側部分にも接触することを特徴とする薬剤収容カセット。
【請求項５】
請求項２〜請求項４のいずれか１項に記載の薬剤収容カセットにおいて、上記受け部は、上記薬剤シートが押し当てられた状態で上記薬剤シートのポケットとの接触を回避する空間部分または上記薬剤シートが押し当てられた状態で上記薬剤シートのポケットに押されて前方に移動するポケット当たり部を備えることを特徴とする薬剤収容カセット。
【請求項６】
請求項２〜請求項４のいずれか１項に記載の薬剤収容カセットにおいて、上記受け部は、上記先頭の薬剤シートのポケットに当たるポケット当たり部と、上記ポケット当たり部を上記薬剤シートの移動方向に移動可能に支持する支持部と、上記ポケット当たり部を上記薬剤シートの移動方向と反対の方向に付勢する付勢部材と、を有することを特徴とする薬剤収容カセット。
【請求項７】
請求項６に記載の薬剤収容カセットにおいて、上記付勢部材の付勢力は、上記移動動作部が上記薬剤シートを押す力よりも弱いことを特徴とする薬剤収容カセット。
【請求項８】
請求項２〜請求項７のいずれか１項に記載の薬剤収容カセットにおいて、上記受け部は、上記薬剤シートが接触する接触部を両サイド部に有し、中央側に突き押し部材が通る通過部を有することを特徴とする薬剤収容カセット。
【請求項９】
請求項２〜請求項８のいずれか１項に記載の薬剤収容カセットが装填スペース内に出し入れ可能に装填されており、移動可能に設けられた払出操作部によって上記薬剤収容カセットから薬剤シートを突き押し部材によって払い出すことを特徴とする薬剤払出装置。
【請求項１０】
請求項９に記載の薬剤払出装置において、上記払出操作部は、上記払出開口から押し出される上記薬剤シートが上記払出開口下の受け止め箇所から外れる方向に押し出されるのを阻止する阻止部材を有することを特徴とする薬剤払出装置。
【発明の詳細な説明】
【技術分野】
【０００１】
この発明は、ＰＴＰ（Ｐｒｅｓｓ  Ｔｈｒｏｕｇｈ  Ｐａｃｋａｇｅ）シートやブリスター包装シート等の薬剤シートを払い出す薬剤払出方法、薬剤払出に用いる薬剤収容カセットおよび薬剤払出装置に関する。
【背景技術】
【０００２】
薬剤払出装置は、薬剤ごとのＰＴＰシートが収容される薬剤収容カセットを多数備えており、入力された処方箋データに基づいて選択した薬剤収容カセットから必要枚数のＰＴＰシートを払い出す。特許文献１には、このような薬剤払出装置が開示されている。
【０００３】
特許文献１の薬剤払出装置で用いられている薬剤収容カセットは、複数枚のＰＴＰシートを立てた状態で横方向に並べて収容する。上記薬剤収容カセットの奥側には上記ＰＴＰシートを上記薬剤収容カセットの前方側へと押す移動動作装置が設けられている。そして、上記薬剤収容カセットの前方側の底部には払出用の開口が形成されており、先頭のＰＴＰシートが突き押し部材によって下方に押されると、当該ＰＴＰシートが上記開口から払い出されることになる。
【０００４】
具体的には、図１１（Ａ）に示しているように、薬剤払出装置２００の薬剤収容カセット２０１には、複数枚のＰＴＰシート２０２をそのポケット形成面が後ろ側に向くように収容する。そして、開口２０４の上方に位置する突き押し部材２０３を下方に移動させると、先頭のＰＴＰシート２０２が下方に払い出される。
【先行技術文献】
【特許文献】
【０００５】
【特許文献１】特許第４９８５８９７号公報
【発明の概要】
【発明が解決しようとする課題】
【０００６】
しかしながら、上記従来の薬剤払出装置では、図１１（Ｂ）に示しているように、上記ＰＴＰシート２０２はポケット形成面の側が内になるように湾曲することが多い。このため、上記ＰＴＰシート２０２の上端部が上記突き押し部材２０３の突き押しポイントから外れて位置し、上記ＰＴＰシート２０２を適切に突き押せないことが生じる。
【０００７】
この発明は、上記の事情に鑑み、収容部に収容された薬剤シートが湾曲している場合でも、当該薬剤シートを適切に突き押して払い出すことができる薬剤払出方法、薬剤収容カセットおよび薬剤払出装置を提供する。
【課題を解決するための手段】
【０００８】
この発明の薬剤払出方法は、上記課題を解決するために、薬剤収容カセットの収容部に形成された払出開口から薬剤シートを払い出す薬剤払出方法において、上記収容部内に上記薬剤シートをそのポケット形成面側が上記収容部の前側を向くように収容し、先頭の薬剤シートの一部を上記収容部の前側に設けられている受け部に押し当てることで上記先頭の薬剤シートの上記払出開口と反対の側に位置する反対側部分を一定範囲内に位置させ、上記先頭の薬剤シートの上記反対側部分を突き押し部材によって突き押して、上記収容部に形成された払出開口から上記薬剤シートを押し出すことを特徴とする。
【０００９】
上記方法であれば、上記収容部内に収容された薬剤シートが湾曲している場合でも、先頭の薬剤シートの一部が上記収容部の前側に設けられている受け部に押し当てられ、上記先頭の薬剤シートの上記反対側部分が一定範囲内に位置することになる。これにより、上記先頭の薬剤シートの上記反対側部分を突き押し部材によって突き押すことが確実に行えるようになり、上記収容部に形成された払出開口から上記薬剤シートを適切に押し出すことができるようになる。
【００１０】
また、この発明の薬剤収容カセットは、薬剤シートが収容される収容部と、上記収容部の前側に設けられた払出開口と、を備え、上記払出開口から上記薬剤シートを払い出す薬剤収容カセットにおいて、上記収容部内の薬剤シートを上記収容部の前側に向けて移動させる移動動作部と、上記収容部内の先頭の薬剤シートの一部に接触するように設けられ、上記先頭の薬剤シートの上記払出開口と反対の側に位置する反対側部分を一定範囲内に位置させる受け部と、を備えたことを特徴とする。
【００１１】
上記の構成であれば、上記薬剤シートをそのポケット形成面側が上記薬剤収容カセットの前側を向くように収容しておくと、上記薬剤シートが湾曲している場合でも、先頭の薬剤シートはその一部が上記前側に設けられている受け部に押し当てられ、上記先頭の薬剤シートの上記反対側部分が一定範囲内に位置することになる。これにより、上記先頭の薬剤シートの上記反対側部分を突き押し部材によって突き押すことが確実に行えるようになり、上記収容部に形成された払出開口から上記薬剤シートを適切に押し出すことができるようになる。
【００１２】
上記受け部は上記薬剤シートの一部として上記薬剤シートの上記反対側部分に接触し、上記薬剤シートは上記反対側部分が突き押されて上記払出開口から払い出されるようにしてもよい。また、上記受け部は上記薬剤シートの一部として上記薬剤シートの上記払出開口の側に位置する払出側部分にも接触するようにしてもよい。これによれば、先頭の薬剤シートを例えば上下２点で受け止めることができる。この場合に、例えば上記薬剤シートの中央部を後続の薬剤シートのポケットで前方に押すと、先頭の薬剤シートを例えば上１点で受け止めた場合に比べて、収容部内の薬剤シートを安定させることができる。
【００１３】
上記受け部は、上記薬剤シートが押し当てられた状態で上記薬剤シートのポケットとの接触を回避する空間部分または上記薬剤シートが押し当てられた状態で上記薬剤シートのポケットに押されて前方に移動するポケット当たり部を備えてもよい。これによれば、上記薬剤シートの湾曲（反り）が緩和される。すなわち、反った薬剤シートの端を受けて中央が押されることで反りが解消される。なお、ポケットが受け部に当たった状態では、反りが解消できたとしても、ポケットの厚みによって、薬剤シートの上記反対側部分が一定範囲内に位置できないという不具合が生じるが、このような不具合は上記空間部分またはポケット当たり部を有することで解決される。
【００１４】
上記受け部は、上記先頭の薬剤シートのポケットに当たるポケット当たり部と、上記ポケット当たり部を上記薬剤シートの移動方向に移動可能に支持する支持部と、上記ポケット当たり部を上記薬剤シートの移動方向と反対の方向に付勢する付勢部材と、を有していてもよい。上記付勢部材の付勢力は、上記移動動作部が上記薬剤シートを押す力よりも弱くてもよい。これによれば、先頭の薬剤シートを突き押し部材で押し出すときに、上記ポケット当たり部が上記移動方向に移動するので、上記薬剤シートのポケットとの接触の程度が弱くなり、上記薬剤シートの払い出しを円滑にすることができる。また、上記突き押し部材を戻すときに上記ポケット当たり部が上記付勢部材によって元の位置に戻るので、後続の薬剤シートが一緒に払い出されてしまうのを防止することができる。
【００１５】
上記受け部は、上記薬剤シートが接触する接触部を両サイド部に有し、中央側に突き押し部材が通る通過部を有することとしてもよい。これによれば、上記薬剤シートは両サイド部で上記受け部に接触できるので、先頭の薬剤シートを上記収容部内で安定した状態に保つことができる。
【００１６】
また、この発明の薬剤払出装置は、上記いずれかの薬剤収容カセットが装填スペース内に出し入れ可能に装填されており、移動可能に設けられた払出操作部によって上記薬剤収容カセットから薬剤シートを突き押し部材によって払い出すことを特徴とする。
【００１７】
上記払出操作部は、上記払出開口から押し出される上記薬剤シートが上記払出開口下の受け止め箇所から外れる方向に押し出されるのを阻止する阻止部材を有していてもよい。
【発明の効果】
【００１８】
この発明であれば、収容部に収容された薬剤シートが湾曲している場合でも、当該薬剤シートを適切に突き押して払い出すことができるという効果を奏する。
【図面の簡単な説明】
【００１９】
【図１】この発明の一実施形態に係る薬剤払出装置を示した説明図である。
【図２】図１の薬剤払出装置の制御系の概略を示したブロック図である。
【図３】同図（Ａ）および同図（Ｂ）はこの発明の一実施形態に係る薬剤収容カセットの斜視図である。
【図４】図３の薬剤収容カセットの平面図である。
【図５】図３の薬剤収容カセットの底面図である。
【図６】同図（Ａ）は図３の薬剤収容カセットに設けられている受け部の斜視図であり、同図（Ｂ）は、上記受け部のポケット当たり部の斜視図である。
【図７】同図（Ａ）は図３の薬剤収容カセットに設けられている受け部の斜視図であり、同図（Ｂ）は、上記受け部のポケット当たり部を省いた斜視図である。
【図８】図１の薬剤払出装置に設けられる払出操作部の概略を示した斜視図である。
【図９】図３の薬剤収容カセットを用いた払い出しの説明図である。
【図１０】同図（Ａ）はこの発明の一実施形態の阻止部材が無い場合の説明図であり、同図（Ｂ）は上記阻止部材が在る場合の説明図である。
【図１１】同図（Ａ）および同図（Ｂ）は従来例を示した説明図である。
【発明を実施するための形態】
【００２０】
以下、この発明の実施の形態を添付図面に基づいて説明する。
図１に示しているように、この実施形態の薬剤払出装置１０１内には上下左右に複数の装填スペース１０１ａが設けられており、上記装填スペース１０１ａのそれぞれに薬剤収容カセット１が前後方向（奥行き方向）に出し入れ可能に設けられている。この薬剤払出装置１０１の払出操作部５０は、上記薬剤収容カセット１の前面側において上下方向及び左右方向に移動可能に設けられている。また、上記薬剤払出装置１０１には、ディスプレイ１０２及び入力部１０３が設けられている。
【００２１】
図２に示しているように、上記薬剤払出装置１０１の制御部１０５は、上記入力部１０３から入力された情報を処理し、また処理した情報をディスプレイ１０２に表示する等の処理を行う。例えば、オペレータは、上記入力部１０３を用いて、どの薬剤収容カセット１にどのＰＴＰシート１００が収容されているか等を入力する初期入力、上記薬剤収容カセット１にＰＴＰシート１００を補充する際の補充枚数入力、払出のための処方箋情報入力等を行うことができる。各種情報は、上記制御部１０５の処理によって記憶部１０４に記憶することができる。また、上記制御部１０５は、上記処方箋情報に基づいて上記払出操作部５０を対象となる薬剤収容カセット１の箇所まで移動させて、ＰＴＰシート１００の払出処理を実行することになる。
【００２２】
上記薬剤収容カセット１には、ＰＴＰシート１００が収容される収容部１１が形成されている。上記収容部１１には、複数枚のＰＴＰシート１００を立てた状態で、そのポケット形成面側が上記収容部１１の前側を向くように並べて収容することができる。
【００２３】
図３（Ａ）、図３（Ｂ）、図４及び図５に示しているように、上記薬剤収容カセット１は、上記収容部１１の前方側に設けられた回動蓋部（払い出されたＰＴＰシート１００の受け止め箇所となる）１２と、上記収容部１１の前方側の底部に設けられた払出開口１３と、この払出開口１３の開口幅を調節する調節部材１４と、上記収容部１１内の上記ＰＴＰシート１００を上記前方側に向けて移動させる移動動作部２と、上記払出開口１３の上方に位置し、上記ＰＴＰシート１００の一部に接触するように設けられる受け部３と、を備える。
【００２４】
上記回動蓋部１２は、上記ＰＴＰシート１００の払い出し時において、軸受け部１２ａを中心に下側に回動しており、上記払出開口１３から落下してくる上記ＰＴＰシート１００を受け止める。もちろん、上記回動蓋部１２を備えずに別の受け止め部を設けることも可能である。上記回動蓋部１２の詳細な構造および上記回動蓋部１２を開閉するための駆動機構は、上記の特許文献１（特許第４９８５８９７号公報）に例示されている。また、回動蓋部１２で、上記払出開口１３から落下してくる上記ＰＴＰシート１００を受け止めず、上記ＰＴＰシートを薬剤収容カセットから落下させてもよい。
【００２５】
上記移動動作部２は、例えば上記ＰＴＰシート１００に接触する接触部および定荷重バネ（例えば商品名コンストンバネ）を備える。上記定荷重バネにはロック操作部２１が設けられており、上記移動動作部２を上記初期位置スペース１１ａに移動させてロックをかけた状態で、上記ＰＴＰシート１００を上記収容部１１内にセットしていくことができる。上記ＰＴＰシート１００をセットするときは、当該ＰＴＰシート１００ポケット形成面側が上記薬剤収容カセット１の前方側（受け部３の側）に向くように揃えて入れる。
【００２６】
上記ＰＴＰシート１００をセットした後に上記ロック操作部２１を操作してロックを外すと上記ＰＴＰシート１００に対する押圧動作が開始される。また、上記定荷重バネは、捲回スプリング２２を有しており、この捲回スプリング２２の先端部は上記払出開口１３の近傍に固定されている。上記移動動作部２を上記初期位置スペース１１ａに移動させたときに最も上記捲回スプリング２２が延びる状態となる。また、上記ロック操作部２１に設けられているギヤ部は、上記収容部１１の底面に形成された歯状部１１ｂに歯合しており、上記ギヤ部の回動が制限されることで上記移動動作部２がロックされる状態となる。
【００２７】
上記受け部３は、図６（Ａ）、図６（Ｂ）、図７（Ａ）および図７（Ｂ）に示しているように、受け本体部３１と、上記ＰＴＰシート１００のポケットに当たるポケット当たり部３２と、このポケット当たり部３２を可動に支持する支持部３３と、を備える。
【００２８】
上記受け本体部３１は、２個のビス３４によって上記薬剤収容カセット１の前側壁部に固定されている（図３（Ｂ）参照）。すなわち、上記受け本体部３１と上記薬剤収容カセット１の収容部１１との位置関係は固定となる。上記２個のビス３４は水平方向に離れて設けられている。また、上記受け本体部３１は、上記ビス３４が挿通される垂直面部に繋がっている２個の水平面部を有しており、各水平面部に長穴３１ａを有している。各長穴３１ａは上記移動動作部２の移動方向に長くされている。
【００２９】
また、上記受け本体部３１は、上記水平面部に繋がるＬ字受け部３１ｂを備える。上記Ｌ字受け部３１ｂは、上記ＰＴＰシート１００の上縁の中央部には接触せずに、上縁の左右部分および左右縁の上側部分に接触するように位置する。すなわち、上記受け本体部３１は、上記払出操作部５０に設けられた突き押し部材５１が通る通過部を中央側に有し、上記ＰＴＰシート１００が接触する接触部を両サイド部に有する。また、上記Ｌ字受け部３１ｂは、上記ＰＴＰシート１００のポケット部に接触しないように空間部分を形成するような枠形状に設けられる。
【００３０】
上記ポケット当たり部３２は、左右の上下位置に鉤状部３２ａを有しており、この鉤状部３２ａを上記支持部３３の左右の上下位置に係合させている。上記鉤状部３２ａと上記支持部３３の表面との間には、上記ポケット当たり部３２の移動を許容するための隙間が形成されている。また、上記ポケット当たり部３２の本体側裏面の左右位置にはスペーサ３５が設けられている。そして、上記ポケット当たり部３２の上端の中央部には、上記支持部３３の上方に上り傾斜する傾斜部３２ｂが形成されている。払い出し時に降下してくる突き押し部材５１の先端側で上記傾斜部３２ｂが押されると、上記ポケット当たり部３２は前側（ＰＴＰシート１００の移動方向）に移動する。
【００３１】
上記支持部３３の後ろ側の面（上記ポケット当たり部３２に対向する面）には水平方向に３箇所のバネ支持部３３ａが形成されており、各バネ支持部３３ａにコイルバネ３３ｂ（付勢部材）が装着されている。上記コイルバネ３３ｂによって上記ポケット当たり部３２が上記ＰＴＰシート１００を押し戻す方向に付勢されている。上記コイルバネ３３ｂの合計の付勢力は、上記移動動作部が上記薬剤シートを押す力よりも弱い。また、上記支持部３３の上端面には、上記長穴３１ａの下側となる位置に螺子穴３３ｃが２箇所形成されている。上記螺子穴３３ｃにビスを留めることで、上記支持部３３を上記受け本体部３１に固定することができる。また、各長穴３１ａは上記ＰＴＰシート１００の移動方向に長いので、上記ＰＴＰシート１００のポケット厚みに応じた上記支持部３３の適切な位置設定をすることができる。
【００３２】
図８に示しているように、上記払出操作部５０は、例えば電磁石によって上記薬剤収容カセット１の前面磁性部に磁力吸着して当該薬剤収容カセット１を前後方向に出し入れする。そして、上記薬剤収容カセット１を引き出した状態で、規定位置にある上記突き押し部材５１を上下動させることで上記ＰＴＰシート１００を突き押すことができる。上記突き押し部材５１を支持する本体部には、ラック部５１ａが形成されている。このラック部５１ａには、モーター５２によって回転されるピニオンが歯合しており、上記モーター５２の駆動によって上記突き押し部材５１を上下動させることができる。上記突き押し部材５１の先端部には、上記ＰＴＰシート１００の上縁（上記払出開口１３と反対の側に位置する反対側部分）が係合される凹部５１ｂが形成されている。
【００３３】
図９にも示しているように、上記凹部５１ｂは、上記ポケット当たり部３２の傾斜部３２ｂに近接して位置するポケット側部位とシート本体側部位とによって形成されており、上記ポケット側部位の方が下方に長くなっている。そして、上記ポケット側部位の上部側が当該突き押し部材５１の降下時に上記傾斜部３２ｂに当たってポケット当たり部３２を前側（上記ＰＴＰシート１００の移動方向）に移動させる。
【００３４】
上記薬剤払出装置１０１を用い、上記薬剤収容カセット１の収容部１１内に上記ＰＴＰシート１００をそのポケット形成面側が上記薬剤収容カセット１の前側を向くように収容し、先頭のＰＴＰシート１００の一部を上記収容部１１前側に設けられている受け部３に押し当てることで上記先頭のＰＴＰシート１００の上縁（上記払出開口１３と反対の側に位置する反対側部分）を一定範囲内に位置させ、上記先頭のＰＴＰシート１００の上縁を突き押し部材５１によって突き押して、上記収容部１１に形成された払出開口１３から上記ＰＴＰシート１００を押し出すことができる。上記一定範囲は、上記突き押し部材５１の凹部５１ｂに係合できる範囲となる。
【００３５】
これにより、上記収容部１１内に収容された上記ＰＴＰシート１００が湾曲している場合でも、先頭のＰＴＰシート１００はその一部が上記前側に設けられている受け部３に押し当てられて、上記先頭のＰＴＰシート１００の上縁が一定範囲内に位置される。このため、上記先頭のＰＴＰシート１００の上縁を突き押し部材５１によって突き押すことが確実に行えるようになり、上記払出開口１３から上記ＰＴＰシート１００を適切に押し出すことができるようになる。
【００３６】
ここで、上記受け部３が上記Ｌ字受け部３１ｂを備えていると、上記ＰＴＰシート１００の上縁および左右縁を受け止めることができることになる。しかし、上記のように上縁と左右縁の両方を受け止める必要は必ずしもない。例えば、上記受け部３は上記ＰＴＰシート１００の上縁のみを受ける受け部を有することとしてもよい。また、上記移動動作部２によるＰＴＰシート１００への押圧力を高めて上記収容部１１内にセットされたＰＴＰシート１００の湾曲を少なくしてやると、上記ＰＴＰシート１００の横の中程の縁部のみを受ける受け部を設けたとしても、上記先頭のＰＴＰシート１００の上縁を上記の一定範囲内に位置させることができる。
【００３７】
また、上記Ｌ字受け部３１ｂによって、先頭のＰＴＰシート１００を上下２点で受け止めることができる。そして、上記先頭のＰＴＰシート１００はその中央部を後続のＰＴＰシート１００のポケットで前方に押されるので、先頭のＰＴＰシート１００を例えば上１点で受け止めた場合に比べて、収容部１１内のＰＴＰシート１００を安定させることができる。
【００３８】
上記受け部３が、上記ポケット当たり部３２と、上記支持部３３と、上記コイルバネ３３ｂ（付勢部材）を有していていると、先頭のＰＴＰシート１００を突き押し部材５１で押し出すときに、上記ポケット当たり部３２が上記収容部１１の前方側に移動するので、上記ＰＴＰシート１００のポケットとの接触の程度が弱まり、上記ＰＴＰシート１００の払い出しを円滑にすることができる。また、上記突き押し部材５１を戻すときに上記ポケット当たり部３２が元の位置に戻るので、後続のＰＴＰシート１０１に接触する。後続のＰＴＰシート１０１は、上記ポケット当たり部３２に前方から後方に向けて押圧され、更に後続のＰＴＰシート１００に後方から前方に押圧されるため、後続のＰＴＰシート１００が一緒に払い出されてしまうのを防止することができる。また、上記ポケット当たり部３２の移動を上記コイルバネ３３ｂにより許容しているので、多少厚さの異なる種類のＰＴＰシート１００を問題なく用いることができる。なお、上記コイルバネ３３ｂに替えて板バネなどを用いることができる。
【００３９】
上記受け部３は、上記ＰＴＰシート１００が押し当てられた状態でポケットとの接触を回避する空間部分、または上記ＰＴＰシート１００が押し当てられた状態でポケットに押されて前方に移動するポケット当たり部を備えた構成でもある。もちろん、上記受け部３と異なる構造で上記空間部分またはポケット当たり部を具備することもできる。このような空間部分またはポケット当たり部を具備する構造であると、上記ＰＴＰシート１００の湾曲（反り）を緩和することができる。すなわち、反ったＰＴＰシート１００の端を受けた状態でその中央が押されることで反りが解消される。なお、ポケットが受け部に当たったのでは、反りが解消できたとしても、ポケットの厚みによって、ＰＴＰシート１００の上記払出開口１３と反対の側に位置する反対側部分が一定範囲内に位置できないという不具合が生じるが、このような不具合は上記空間部分またはポケット当たり部がポケット位置に適切に設けられることで解決される。
【００４０】
また、上記受け部３が、上記ＰＴＰシート１００が接触する接触部を両サイド部に有し、中央側に上記突き押し部材５１が通る通過部を有すると、上記ＰＴＰシート１００は上縁の両側で上記受け部３に接触できるので、先頭のＰＴＰシート１００を上記収容部１１内で安定した状態に保つことができる。
【００４１】
ところで、上記薬剤収容カセット１の収容部１１内に上記ＰＴＰシート１００をそのポケット形成面側が上記薬剤収容カセット１の前側を向くように収容している場合、図１０（Ａ）に示しているように、先頭のＰＴＰシート１００が払い出されるときに湾曲を大きくし、ＰＴＰシート受け止め箇所（例えば、回動蓋部１２）に入らないことが生じる。そこで、図１０（Ｂ）に示しているように、上記払出開口１３から押し出される上記ＰＴＰシート１００がその湾曲に起因して上記ＰＴＰシート受け止め箇所から外れる方向に押し出されるのを、上記ＰＴＰシート１００に接触することで阻止する阻止部材５３を備えていてもよい。上記阻止部材５３は、前後方向駆動機構によって進退可能に上記払出操作部５０に設けられる。また、上記前後方向駆動機構は、電磁ソレノイドやラック・ピニオン機構などを用いて構成できる。
【００４２】
また、上記ＰＴＰシート１００の上記払出開口１３と反対の側に位置する反対側部分がシート上縁とされる構成を例示したが、上記ＰＴＰシート１００の上記反対側部分はシート上縁に限らす、シート横縁などでもよい。
【００４３】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００４４】
１      薬剤収容カセット
１１    収容部
１２    回動蓋部（受け止め箇所）
１３    払出開口
２      移動動作部
３      受け部
３１    受け本体部
３２    ポケット当たり部
３３    支持部
３３ｂ  コイルバネ（付勢部材）
５０    払出操作部
５１    突き押し部材
５１ｂ  凹部
５３    阻止部材
１００  ＰＴＰシート（薬剤シート）
１０１  薬剤払出装置
【図１】
2014151028.tif 000003
【図２】
2014151028.tif 000004
【図３】
2014151028.tif 000005
【図４】
2014151028.tif 000006
【図５】
2014151028.tif 000007
【図６】
2014151028.tif 000008
【図７】
2014151028.tif 000009
【図８】
2014151028.tif 000010
【図９】
2014151028.tif 000011
【図１０】
2014151028.tif 000012
【図１１】
2014151028.tif 000013